(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、はね上げ側壁に形成された水平軸９を、上部フレームに形成された軸受け部材６の上方が開放された軸受け部６ｂの凹部６ｂ２に収容したものである。【効果】はね上げ側壁に形成された水平軸を、上部フレームに形成された軸受け部材の上方が開放された軸受け部の凹部に収容したので、はね上げ側壁の回動途中において、はね上げ側壁の回動支点である水平軸が、上部フレームに形成された軸受け部材に対して移動するようなことがなく、従って、安定した状態で、はね上げ側壁を回動することができる。【選択図】図６
2004161301.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、はね上げ側壁に形成された水平軸を、上部フレームに形成された軸受け部材の上方が開放された軸受け部の凹部に収容したことを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、上部フレームと、底部と、上部フレームにその上端部がヒンジ連結された、折り畳みコンテナーの内側方向に回動可能な側壁（以下、この側壁を、はね上げ側壁という。）と、上下に分割されているとともに、適当なヒンジ部を介して連結された側壁（以下、この側壁を、分割側壁という。）とを有しており、分割側壁は、ヒンジ部を挟んで上方に位置する上部分割側壁と、ヒンジ部を挟んで下方に位置する下部分割側壁とから構成されており、且つ、上部分割側壁の上端部が、上部フレームにヒンジ連結されており、また、下部分割側壁の下端部が、底部にヒンジ連結されている折り畳みコンテナーが知られている。
【０００３】
上部フレームに垂下された突片に穿設された透孔に、はね上げ側壁に形成された水平ピンを横方向から挿入することにより、上部フレームにはね上げ側壁をヒンジ連結した折り畳みコンテナー知られている（例えば、特開平１１−１４７５２５号公報）。
【０００４】
【発明が解決しようとする課題】
上述した従来の折り畳みコンテナーにおいては、はね上げ側壁が横方向に移動すると、はね上げ側壁に形成された水平ピンが、上部フレームに垂下された突片に穿設された透孔から外れたり、また、はね上げ側壁に下方の負荷が加わると、上部フレームに垂下された突片に穿設された透孔の下方には、十分な肉厚がないために、透孔が縦長に変形し、はね上げ側壁に形成された水平ピンが外れたり、透孔が損傷するという問題があった。
【０００５】
本発明の目的は、上述した従来の折り畳みコンテナーが有する課題を解決することにある。
【０００６】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、はね上げ側壁に形成された水平軸を、上部フレームに形成された軸受け部材の上方が開放された軸受け部の凹部に収容したものである。
【０００７】
【実施例】
以下に、本発明の実施例について説明するが、本発明の趣旨を越えない限り何ら、本実施例に限定されるものではない。
【０００８】
折り畳みコンテナーは、上部フレーム１と、底部２と、上部フレーム１にその上端部がヒンジ連結されたはね上げ側壁３と、上下に分割されているとともに、適当なヒンジ部を介して連結された分割側壁４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００９】
図１に示されている箱型状態の折り畳みコンテナーの略垂直状のはね上げ側壁３を、折り畳みコンテナーの内部方向に回動させて、図２に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図３に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【００１０】
上部フレーム１は、外側壁部１ａと、外側壁部１ａの上端から水平方向内側に延在する天板部１ｂと、天板部１ｂの先端から下方に、且つ、外側壁部１ａに対して略平行に延在するとともに、外側壁部１ａより高さの低い内側壁部１ｃとにより、長手方向に直交する断面形状が略逆Ｕ字状に形成されている。
【００１１】
はね上げ側壁３がヒンジ連結される上部フレーム１の短辺枠１’には、外側壁部１ａと天板部１ｂと内側壁部１ｃにより囲まれた上部フレーム１内に配置されているとともに、その下端部が、内側壁部１ｃの下端を越えて下方に延在し、且つ、短辺枠１’の長手方向に直交する支持片５が形成されている。
【００１２】
短辺枠１’の外側壁部１ａには、水平板６ａが連接されており、水平板６ａの先端には、上方が開放された半筒状の軸受け部６ｂが形成されており、水平板６ａと軸受け部６ｂとにより、軸受け部材６が構成されている。軸受け部材６の長辺枠１”側に位置する側面は、上述した支持片５に連接されている。また、軸受け部材６は、短辺枠１’を構成する外側壁部１ａと内側壁部１ｃとの間に位置しているとともに、軸受け部材６を構成する軸受け部６ｂの先端上面６ｂ１と、内側壁部１ｃの下端１ｃ１との間には、後述するはね上げ側壁３に配設された水平軸が挿入可能な間隙が形成されている。
【００１３】
上部フレーム１の長辺枠１”の短辺枠１’側には、外側壁部１ａを凹ますことにより形成された凹部７が形成されており、凹部７の奥壁７ａは、内側壁部１ｃにより形成されている。この奥壁７ａには、透孔が形成されており、奥壁７ａの外壁面には、透孔の周囲を取り囲むように、コップ状のカバー８が取着されている。
【００１４】
はね上げ側壁３の上端フランジ３ａの上面には、上部が半円形状で、上端フランジ３ａの長手方向に直交する板片３ｂが、複数個、立設されている。板片３ｂには、板片３ｂの先端部から外側端面を経て上端フランジ３ａまで達する、略逆Ｊ字状の横長の端部壁３ｃが形成されている。所定の間隔を置いて配置された板片３ｂに形成された端部壁３ｃの一部を省略することにより、板片３ｂ間には、間隙Ｄが形成されている。このような間隙Ｄは、上述した上部フレーム１の短辺枠１’に形成された軸受け部材６に対応して、複数個、形成されている。本実施例においては、上部フレーム１の短辺枠１’に、２個の軸受け部材６が形成されているので、はね上げ側壁３にも、２個の間隙Ｄが形成されている。
【００１５】
はね上げ側壁３に形成された間隙Ｄを構成する、相対する板片３ｂのうち、端部壁３ｃの中央よりの板片３ｂには、片持ち状に水平軸９が突設されている。水平軸９の先端と水平軸９の先端と対向する板片３ｂとの間には、上述した上部フレーム１の短辺枠１’に形成された支持片５が挿通可能な間隙が形成されている。また、はね上げ側壁３の両側の垂直フランジ３ｄに面一になるように配置された、両端に位置する板片３ｂの外面には、端部水平軸１０が突設されている。
【００１６】
はね上げ側壁３の両端に位置する板片３ｂの外面に突設された端部水平軸１０を、上部フレーム１の長辺枠１”の短辺枠１’側に形成された奥壁７ａに穿設された透孔に嵌入するが、端部水平軸１０の奥壁７ａから突出した部分は、奥壁７ａの外壁面に取着されたコップ状のカバー８内に収容されることになる。また、はね上げ側壁３の相対する板片３ｂ間に形成された間隙Ｄには、上部フレーム１の短辺枠１’に形成された支持片５と軸受け部材６が挿入されるとともに、はね上げ側壁３に形成された間隙Ｄを構成相対する板片３ｂの一方の板片３ｂに突設された片持ち状の水平軸９が、上部フレーム１の短辺枠１’に形成された軸受け部材６の上方が開放された半筒状の軸受け部６ｂの凹部６ｂ２に収容されるように構成されている。この際、上部フレーム１の短辺枠１’に形成された支持片５は、はね上げ側壁３の水平軸９の先端と水平軸９の先端と対向する板片３ｂとの間に形成された間隙に挿入されることになる。このようにして、上部フレーム１の短辺枠１’に、はね上げ側壁３がヒンジ連結されるように構成されている。
【００１７】
１１は、上部フレーム１を構成する短辺枠１’の内側壁部１ｃの下端中央部に垂下された係止片である。折り畳みコンテナーが箱型に組み立てられ、はね上げ側壁３が略垂直状態において、上記係止片１１が、はね上げ側壁３の上端部に形成された略逆Ｊ字状の横長の端部壁３ｃの先端３ｃ１に、当接或いは実質的に当接するように構成されている。このように構成することにより、箱型に組み立てられた状態において、はね上げ側壁３が、上部フレーム１から外れるようなことを防止することができる。なお、係止片１１は、端部壁３ｃの中央部に、互いに接近して配設された相対する板片３ｂ間に位置する端部壁３ｃの先端３ｃ１に、当接或いは実質的に当接するように構成することが好ましい。このように、互いに接近して配設された相対する板片３ｂ間に位置する端部壁３ｃは、外力が加わっても変形が少ないので、はね上げ側壁３が、上部フレーム１から外れるようなことを確実に防止することができる。
【００１８】
上述したように、はね上げ側壁３に形成された水平軸９を、上部フレーム１の短辺枠１’に形成された軸受け部材６の上方が開放された半筒状の軸受け部６ｂの凹部６ｂ２に収容し、上部フレーム１に対して、はね上げ側壁３が回動自在になるようにヒンジ連結したので、はね上げ側壁３の回動途中において、はね上げ側壁３の回動支点である水平軸９が、上部フレーム１の短辺枠１’に形成された軸受け部材６に対して移動するようなことがなく、従って、安定した状態で、はね上げ側壁３を回動することができる。
【００１９】
上部フレーム１を構成する短辺枠１’の外側壁部１ａに連接されている軸受け部材６の一方の側面が、上部フレーム１の短辺枠１’に形成された支持片５に連接されているので、軸受け部材６の強度や剛性が向上し、軸受け部材６の変形が抑制されるので、はね上げ側壁３が、上部フレーム１から外れるようなことを防止することができる。
【００２０】
【発明の効果】
本発明は、以上説明したように構成されているので、以下に記載されるような効果を奏する。
【００２１】
はね上げ側壁に形成された水平軸を、上部フレームに形成された軸受け部材の上方が開放された軸受け部の凹部に収容したので、はね上げ側壁の回動途中において、はね上げ側壁の回動支点である水平軸が、上部フレームに形成された軸受け部材に対して移動するようなことがなく、従って、安定した状態で、はね上げ側壁を回動することができる。
【図面の簡単な説明】
【図１】図１は本発明の折り畳みコンテナーが箱型に組み立てられた状態の斜視図である。
【図２】図２は本発明の折り畳みコンテナーの組み立て途中或いは折り畳み途中の斜視図である。
【図３】図３は本発明の折り畳みコンテナーが折り畳まれた状態の斜視図である。
【図４】図４は本発明の折り畳みコンテナーを構成する上部フレームとはね上げ側壁の部分分解斜視図である。
【図５】図５は図４の更に拡大された部分分解斜視図である。
【図６】図６は本発明の折り畳みコンテナーが箱型に組み立てられた状態のはね上げ側壁に対して直交する方向の部分垂直断面図である。
【符号の説明】
１・・・・・・・・上部フレーム
１ａ・・・・・・・外側壁部
１ｂ・・・・・・・天板部
１ｃ・・・・・・・内側壁部
２・・・・・・・・底部
３・・・・・・・・はね上げ側壁
４・・・・・・・・分割側壁
４’・・・・・・・上部分割側壁
４”・・・・・・・下部分割側壁
５・・・・・・・・支持片
６・・・・・・・・軸受け部材
９・・・・・・・・水平軸
【図１】
2004161301.tif 000003
【図２】
2004161301.tif 000004
【図３】
2004161301.tif 000005
【図４】
2004161301.tif 000006
【図５】
2004161301.tif 000007
【図６】
2004161301.tif 000008